Podtech/llm-jp-corpus-v4-ja_patent huggingface dataset:
(57)【要約】      （修正有）【課題】コップに、焼酎、水、砂糖、氷等を入れ、手軽に酎ハイを自作することができる二層形発泡酎ハイ錠を提供する。【解決手段】炭酸水素ナトリウムの粉末をベースとし、発泡助剤のクエン酸及び、一般の製薬加工用に使用される発泡遅延剤を加え発泡タイムを約１５分としうる加圧加工により調整した内層発泡剤の外側に、数種の嗜好着色香味料を、約１５秒で溶解する着色香味剤を被覆せしめ、二層形として成形し、発泡酎ハイ錠を構成する。【選択図】図１
0003151614.tif 000002
【実用新案登録請求の範囲】
【請求項１】
炭酸水素ナトリウムの粉末をベースとし、発泡助剤のクエン酸及び、一般の製薬加工用に使用される発泡遅延剤を加え発泡タイムを約１５分としうる加圧加工により調整した内層発泡剤の外側に、数種の嗜好着色香味料を、約１５秒で溶解する着色香味剤を被覆せしめ、二層形として成形せしめたことを特徴とする、二層形発泡酎ハイ錠。
【考案の詳細な説明】
【技術分野】
【０００１】  本考案は、コップに、焼酎、水、砂糖、氷、等、を入れたのち、二層形発泡酎ハイ錠を加えることにより、手軽に酎ハイを自作することに関するものである。
【背景技術】
【０００２】  昨今、缶酎ハイは、発売２５周年というメーカーを始め約１０社が、カクテル調を含めて多種多様、数拾種のものが賑々しく店頭を飾つている。
カクテル調は甘目で、缶酎ハイは甘味と炭酸ガス量を下げているよう。
香味は、レモン、梅、桃、リンゴ、トマトミツクス、巨峰、マスカット、アロエ、キウイ、苺、等々。
アルコール４〜８％、３５０ｍｌ、６５〜１９８円、何れも炭酸水形である。
他方、家庭または呑み屋、等で自作する酎ハイの香味としては、レモン、梅、ウーロン、抹茶、オロナミン、洋酒味、等で、缶酎ハイとは大きく異なるよう。
ベースの焼酎はアルコール２５％、４ｌで約２０００円程度。
アルコール％、香味液量の調節は好みに合わせられるので便利ではあるが、泡の自作がむづかしいのが大不満のよう。
市販ソーダ水は、５００ｍｌ、約１００円、重くて高い、と云う。
【考案が解決しようとする課題】
【０００３】  缶酎ハイは作られた香味の炭酸水、各メーカーは重い液体での乱戦勝負。
街内の薬局にて重曹（胃薬用炭酸水素ナトリウム）と、クエン酸との３グラム分包が箱入りで売られている。  何れも日本薬局方。
１ｋｇの袋詰めは約１０００円。グラム当り約１円。
個人または呑み屋、等では調合のむづかしさがあり、香味料の入手にもむづかしさがある。
【課題を解決するための手段】
【０００４】  重曹粉、クエン酸粉（酸の一例）、加工助剤、発泡遅延剤、等で固形錠に加工し、外側に、香味料粉、発泡促進剤を被覆加工し、二重形の発泡酎ハイ錠とする。
重曹とクエン酸の基本混合比は、１対２．５、助剤と香味料等は各種のキヤンデイに広く使用されているものが利用できる。
固形錠の発泡タイムの調整は、重曹をベースとしたものに、入浴錠、入れ歯洗浄錠、ポット洗浄錠、等があり、夫々を粉状に砕くと瞬間発泡するが、固形化により２〜１５分の調整例がある。
【考案の結果】
【０００５】  缶酎ハイは、作られた香味の炭酸水で重くて高い。約３６７グラム。
対する発泡酎ハイ錠は、発泡を目的とする内側発泡剤層と、香味を目的とする外側着色香味剤とで構成され、夫々粉体を使用しているので重さは僅か数グラム程度。
コツプの中では約１５秒で香味層が溶けたのち、約１５分間で発泡剤が発泡する。
発泡が減ったら追加投入できる。
重曹は胃薬で、クエン酸（他にフマル酸、リンゴ酸等がある）により炭酸ガスとなり中和消化する。
外層の着色香味剤で香味の銘柄が選べる面白さ、遊び心が加わり、泡を見ながら楽しめる。簡単、手軽さ、安さ、等の効果がある。
【考案を実施するための最良の形態】
【０００６】  外層剤の香味を着色により香味の種類を表示する具体例。
レモン味（黄色）、梅味（ピンク色）、ウーロン味（茶色）、抹茶味（緑色）、グレープ味（オレンジ色）、オロナミン味（白色）、ヘネシー味（青色）、等尚、発泡酎ハイ錠は、発泡が減ったら追加投入することを考りよし、分割用溝目を付加した形状のものを予備として付属すると便利かと思われる。
【図面の簡単な説明】
【０００７】
【図１】  本考案の発泡酎ハイ錠の断面図
【図２】  本考案の発泡酎ハイ錠に分割溝目を付加した断面図
【図３】  本考案の発泡酎ハイ錠に分割溝目を付加した平面図
【符号の説明】
【０００８】  １  発泡剤
２  着色香味剤
【図１】
0003151614.tif 000003
【図２】
0003151614.tif 000004
【図３】
0003151614.tif 000005
(57)【要約】      （修正有）【課題】クラフトテープを衣服や、じゅうたん等のほこり取りに利用する際、被清掃面が平らな面であっても貼りついてしまうことのないクラフトテープを提供する。【解決手段】ガラス面など剥ぎにくくなり易い平らな面や畳などむしれ易い面へも使用可能となる様に、クラフトテープの糊を水玉模様に、断続して塗布し、糊が塗布されていない部分を持ったクラフトテープを構成する。また、水玉模様の水玉はできるだけ小さくし、数多く塗布する。【選択図】図１
0003151628.tif 000002
【実用新案登録請求の範囲】
【請求項１】
クラフトテープへの糊塗布を水玉模様にし、糊の塗布されない部分をもったクラフトテープ。
【考案の詳細な説明】
【技術分野】
【０００１】  本考案は、クラフトテープに塗布する糊の使用量低減と、利用幅の拡大に関するものである。
【背景技術】
【０００２】  おもに荷作りに用いられるクラフトテープは、接着面全体に糊が塗布されている。
【考案の開示】
【考案が解決しょうとする課題】
【０００３】  クラフトテープは、本来の目的以外に、衣類、じゅうたん、ソファー等のほこり取りや、犬猫などの毛取り、春さきには干した寝具類の花粉とり等に広く利用されているが、ガラスや鏡などの平らな面ではピッタリ貼りつき、むりに剥すと粘着面が残り不具合であった。また、畳に用いると畳の表面をむしり取るため不都合であった。
【課題を解決するための手段】
【０００４】  テストの結果、クラフトテープの糊は、断続的塗布が有効と判明したため糊の塗布を水玉模様にした。
【考案の効果】
【０００５】  クラフトテープへの糊塗布を、水玉模様にすることで、ガラス面など平らな面や、畳などむしれやすい面へも使用可能となり、利用幅が広がる。
また、水玉間に糊の塗布されない部分が派生し、糊の使用量低減となる。
【考案を実施するための最良の形態】
【０００６】  水玉模様の水玉は、出来るだけ小さくし、数多く塗布する。
【図面の簡単な説明】
【０００７】
【図１】  本考案に係わる、水玉模様に糊の塗布されたクラフトテープの、平面図である。
【符号の説明】
【０００８】    Ａ        クラフトテープ糊塗布面に水玉模様に塗布された糊
Ｂ        クラフトテープに糊の塗布されなかった部分
【図１】
0003151628.tif 000003
(57)【要約】      （修正有）【課題】外気温度低下時の寒冷期でも安定した温水量と蓄熱量を確保することを自動的に行うシステムを提供する。【解決手段】外気温度と開放型タンクの残湯量と温度を検知しシステム制御を行うことにより空冷ヒ−トポンプ機器と開放型タンクに通電と補給水を行うことを特徴としている。貯湯と昇温を兼ね備えたヒ−タ付開放タンクを使用し、開放タンク内部の温水量と温度をシステム制御する。外気温度により、最も安価な時間帯に必要な温水量と蓄熱量を確保する制御とする。電気料金の割高な昼間時の、温水生成は開放タンク内の残湯量と蓄熱量を検知し、最小限の温水生成を行う制御システムとする。【選択図】図１
0003151625.tif 000002
【実用新案登録請求の範囲】
【請求項１】
ヒ−タを内臓したＦＲＰもしくはステンレス製からなる開放タンクと空冷ヒ−トポンプ機器と制御盤を備えた特徴とする温水の生成と蓄熱をする装置。
【請求項２】
外気温度と開放タンクの残湯量を検知し，開放タンクのヒ−タ通電及び空冷ヒ−トポンプの運転と開放タンクに対する補給水を制御することを特徴とする請求項１に記載の温水の生成と蓄熱をする装置。
【考案の詳細な説明】
【技術分野】
【０００１】本考案は，温水の生成と蓄熱を行う装置に関してのものである。
【背景技術】
【０００２】空冷ヒ−トポンプ機器で温水を生成し，開放タンクに貯湯する装置及びシステムは，すでに実用されている。【０００３】しかし従来の方法は外気温度に左右される空冷ヒ−トポンプ機器のみで温水を生成するため，寒冷期や寒冷地では安定した温水量の確保がなされていない欠点があった。
【考案の開示】
【考案が解決しようとする課題】
【０００４】解決しようとする課題は，外気温度の低下時と温水量と蓄熱量を安価な金額で確保できない欠点を解消することである。
【課題を解決するための手段】
【０００５】本考案は，上記の目的を達成するために，貯湯と昇温を兼ね備えたヒ−タ付開放タンクを使用し，開放タンク内部の温水量と温度をシステム制御することである。【０００６】外気温度により，最も安価な時間帯に必要な温水量と蓄熱量を確保する制御とする。【０００７】電気料金の割高な昼間時の，温水生成は開放タンク内の残湯量と蓄熱量を検知し，最小限の温水生成を行う制御システムとする。
【考案をの効果】
【０００８】ＣＯＰ係数（加熱能力／消費電力）の高い空冷ヒ−トポンプ機器を使用することにより，電気料金の削減と電化により化石燃料の消費を抑えることで地球の温暖化防止などの利点がある。
【考案を実施するための最良の形態】
【０００９】安定した温水の生成と蓄熱をヒ−タ付開放タンクと空冷ヒ−トポンプ機器を併用しシステム制御することにより，寒冷地でも安価なコストで温水使用（湯張り，シャワ−など）と湯槽の保温や床暖房などを行えることを実現した。
【実施例】
【００１０】図１は，本考案装置のシステムフロ−図である。
温水生成と蓄熱は，主に空冷ヒ−トポンプ２で行い外気温度測定用調節器８により空冷ヒ−トポンプ２の加熱能力が低下した時に開放タンク１内部に設置したヒ−タ４を段階的に通電することにより，開放タンク１に温水を貯湯する。
開放タンク１に対する給水は，タンク内部の温水温度を温度調節器５で検知し電動弁６を開閉し行うことし，，開放タンク１内部に電極７を設置し温水生成量の制御を行う。
又，上記の全ての制御をシステム制御盤３にて行う。
【産業上の利用可能性】
【００１１】老人施設・工場など温水使用が不可欠な多数の施設において適用できる。
【図面の簡単な説明】
【００１２】
【図１】本考案による装置のシステムフロ−図である。
【符号の説明】
【００１３】１  開放タンク
２  空冷ヒ−トポン機器
３  システム制御盤
４  シ−ズヒ−タ−
５  温度調節器
６  電動弁
７  電極
８  外気温度測定用調節器
【図１】
0003151625.tif 000003
(57)【要約】      （修正有）【課題】不快感を解消するとともに、正確な血圧測定を可能にする血圧計用腕帯を提供する。【解決手段】血圧計１に用いられる腕帯２において、電源部Ｅを備え、該電源部Ｅに接続された電熱線３が腕帯２の内部に配設されている構造となっている。このとき、電源部Ｅが、血圧計１を作動させる電源と同一である構造とすることができる。また、電源部Ｅに、温度調節機能を備えることも可能である。【選択図】図１
0003151630.tif 000002
【実用新案登録請求の範囲】
【請求項１】
血圧計に用いられる腕帯において、電源部を備え、該電源部に接続された電熱線が腕帯の内部に配設されていることを特徴とする血圧計用腕帯。
【請求項２】
前記血圧計用腕帯において、電源部が、血圧計を作動させる電源と同一であることを特徴とする請求項１に記載の血圧計用腕帯。
【請求項３】
前記血圧計用腕帯において、電源部に、温度調節機能を備えたことを特徴とする請求個１または請求項２に記載の血圧計用腕帯。
【考案の詳細な説明】
【技術分野】
【０００１】
本考案は、血圧計の腕帯に関し、詳しくは、電熱線の発熱作用により腕帯が温かくなる血圧計用腕帯に関するものである。
【背景技術】
【０００２】
血圧計は、健康状態を診る手段の一つとして、血圧を測定する際に使用される。かかる血圧計には、手動式と電動式とが存在する。手動式の血圧計は、内部に空気袋を備えた腕帯の外部に空気圧を計る測定器と手動で前記空気袋に空気を送る手段が備えられたものであり、聴診器を腕帯と腕の間にあてがいつつ血圧の測定が行われる。また、電動式の血圧計は、内部に空気袋を備えるとともに脈拍を測定する測定器が備えられた腕帯の外部に空気圧を計る測定器と電動で前記空気袋に空気を送る手段が備えられたものであり、電源スイッチ動作により血圧の測定が行われる。
【０００３】
手動式と電動式のいずれの血圧計においても、腕帯を腕の所定箇所に着用して血圧の測定を行うこととなるが、該腕帯を腕に着用する際に腕帯が冷たく、測定される人にとって不快感なものであった。また、冷たい腕帯の影響で血管が収縮してしまい、正確な血圧の測定ができない場合もあった。
【考案の開示】
【考案が解決しようとする課題】
【０００４】
そこで本考案は、上記問題点に鑑みてなされたものであって、腕帯を電熱線により温かくすることで、従来の不快感を解消するとともに、正確な血圧測定を可能にする血圧計用腕帯を提供することを課題とするものである。
【課題を解決するための手段】
【０００５】
前記課題を解決するため、本考案は、血圧計に用いられる腕帯において、電源部を備え、該電源部に接続された電熱線が腕帯の内部に配設されている構造を採用している。
【０００６】
また、本考案は、前記血圧計用腕帯において、電源部が、血圧計を作動させる電源と同一である構造を採ることも可能である。
【０００７】
さらに、本考案は、前記血圧計用腕帯において、電源部に、温度調節機能を備えた構成を採用することもできる。
【考案の効果】
【０００８】
本考案にかかる血圧計用腕帯によれば、腕帯を腕に着用する際の冷たい不快感を解消することができるとともに、血管の収縮を防止して正確な血圧測定を可能にする。
【０００９】
また、本考案にかかる血圧計用腕帯によれば、電熱線に通電するための電源部を、血圧計を作動させる電源と同一とすることで、一の操作で簡単に腕帯を温かくすることが可能となる。
【考案を実施するための最良の形態】
【００１０】
以下、本考案にかかる血圧計用腕帯１の実施形態について、図面を参照しながら詳細に説明する。
【００１１】
図１及び図２は、本考案にかかる血圧計用腕帯２の実施形態を示しており、図１は斜視図、図２は断面図である。
本実施形態における血圧計用腕帯２は、図面に示すように、電源部Ｅを備え、該電源部Ｅに接続された電熱線３が腕帯２の内部に配設されている構造となっている。そしてまた、血圧計１の機能を発揮すべく、空気袋Ａや測定手段も備えている。
【００１２】
ここで、本考案にかかる血圧計用腕帯２に使用される血圧計１については、手動式であると電動式であるとを問うものではない。
【００１３】
なお、電源部Ｅについては、電動式の血圧計１を作動させる電源Ｅと同一であるように構成させることができる。かかる構成を採ることにより、一の操作で簡単に腕帯を温かくすることが可能となる。
【００１４】
該電源部Ｅには、電熱線３が接続されており、電源部ＥをＯＮ動作することにより、該電熱線３が通電され発熱する。
【００１５】
該電熱線３は、腕帯２の内面が万遍なく温かくなるよう、該腕帯２の内部に適宜配設されている。このとき、電熱線３をそのまま腕帯２内部に配設すると、腕帯２が熱くなりすぎたり、腕帯２の素材によっては発火の恐れが危惧されるため、該電熱線３の周囲を不燃材Ｎにより被覆することが好ましい。
【００１６】
なお、前記電源部Ｅに、電熱線３への通電量を調節することで該電熱線３の発熱量を調節するための温度調節機能を備えさせる構成が考え得る。これにより、季節や人の体感温度の違いによって、適宜温度調節が可能となる。
【００１７】
本考案にかかる血圧計用腕帯２は、以上の通り構成され、手動式の血圧計１であれば、電源部ＥをＯＮ動作することで、電熱線３に通電され発熱して腕帯２が温かくなり、電動式の血圧計１であれば、血圧計１自体の電源と同一あるいは別の電源部ＥをＯＮ動作することで、電熱線３に通電され発熱して腕帯２が温かくなるよう作用する。これにより、腕帯２を腕に着用した際に、冷たさからくる不快感を解消することができるとともに、血管の収縮が起こらず、正確に血圧を測定することが可能となる。
【産業上の利用可能性】
【００１８】
本考案にかかる血圧計用腕帯２は、血圧計１に用いられる腕帯２に限らず、腕に着用する形態の腕帯２であれば応用することが可能であり、本考案の産業上の利用可能性は非常に大きいといえる。
【図面の簡単な説明】
【００１９】
【図１】本考案にかかる血圧計用腕帯の実施形態を示す斜視図である。
【図２】本考案にかかる血圧計用腕帯の実施形態を示す断面図である。
【符号の説明】
【００２０】
１    血圧計
２    血圧計用腕帯，腕帯
３    電熱線
Ａ    空気袋
Ｅ    電源部
Ｎ    不燃材
【図１】
0003151630.tif 000003
【図２】
0003151630.tif 000004
(57)【要約】      （修正有）【課題】防雪柵の建て込みを他の装置を使用せずに、少ない人力で付随した部材のみで行える防雪柵建て込用伸縮装置を提供する【解決手段】伸縮装置の伸縮筒は２重になっており、外径約１２ｃｍで長さ約５０ｃｍの外筒１に内接するように、外径約１０ｃｍで長さ約３３ｃｍの内筒２が嵌まり、それらの筒の中には圧縮コイルバネが入っている。それぞれの筒の内接していない側の端にはシャフトが取り付けてある。外筒１には上側のシャフトが、内筒２の端には下側のシャフトがあり、それぞれのシャフトは回転軸５，６を介して取り付け金具に接続してある。つまりシャフトは支柱取り付け金具に、シャフトは支柱台座取り付け金具に接続してある。【選択図】図２
0003151642.tif 000002
【実用新案登録請求の範囲】
【請求項１】
高さ３〜５ｍの折り畳み式防雪柵の支柱に取り付ける伸縮装置で、圧縮バネを内蔵した内筒と外筒が嵌合している金属製の伸縮筒を有し、その伸縮筒は伸ばした時は９０〜７０ｃｍ、縮めた時は長さ５０〜３５ｃｍになるが、その両端にそれぞれ１５ｃｍ程のシャフトと自由に回動する軸を介して取り付け金具が取り付けてあり、その取り付け金具でこの伸縮装置を防雪柵の支柱台座と支柱間に取り付け、内蔵している圧縮バネは中間ぐらいまで圧縮された時にバネの圧縮抗力が支柱の重さと釣り合うようにしてあり、わずかな力を加えることにより簡単に支柱の建て込みや折り畳みが行える防雪柵建て込み用伸縮装置。
【考案の詳細な説明】
【技術分野】
【０００１】  積雪地帯に於いて使用する防雪柵の支柱建て込み装置に関する。
【背景技術】
【０００２】  積雪地帯に於いては降雪時における道路交通安全確保のために道路脇の風上側の路肩に防雪柵を設置する。【０００３】  防雪柵には吹き止め式や吹き払い式など様々な形態があり、適宜その現場の平均降雪量、風速、風向等を考慮しながら設置されるが、防雪柵が必要なのは当然降雪期のみである。他の期間は、道路脇にある防雪柵が運転者への閉塞感を与えるので、撤去するのが望ましいとされている。【０００４】  しかるに防雪柵を撤去し、運搬し、次の季節まで収納しておく場所の確保、その手間、費用等を考えると現実的ではなく、せいぜいその場所に折り畳んで収納しておく処置が通常とられている。【０００５】  初期はクレーン車を現場に送り、沢山の作業員で防雪柵を分解し、防雪板や支柱をはずし現場に積み重ねる等の処置がとられたが、その後防雪柵の改良が進み、防雪板同志を連結して畳み易くしたり、支柱と支柱台座を蝶番で繋ぎ、支柱を倒して高さを低くし、そのまま現場に置いておけるようになった。【０００６】  支柱の重さは５０〜１５０ｋｇ程あり、支柱を倒すには、やはりクレーン車が必要であった。支柱を倒す場合も、シーズン前の防雪柵を立ち上げる建て込み作業の場合にも、クレーン車を止めておく作業場所が必要であったし、数人の作業員が作業に従事しなければならなかった。【０００７】  その後、更に改良が進み、油圧シリンダー、エアシリンダー、電動ジャッキなどの工具を使用して支柱の建て込みが行える技術が登場し、作業場所や作業人数の縮小を図れるようになった。【０００８】  これら工具を使った建て込み装置は確かに簡便であるが、これら装置はそのつど支柱と支柱台座への取り付けや取り外しを行わなければならず、かつそれを作動させるための油圧ポンプ、エアポンプや電源などの駆動装置が必要であった。
【考案の開示】
【考案が解決しようとする課題】
【０００９】  防雪柵の建て込みを他の装置を使用せずに、少ない人力で防雪柵に付随した部材のみで行える技術を提供する。
【課題を解決するための手段】
【００１０】  強力な圧縮バネを内蔵した伸縮筒を持つ伸縮装置を防雪柵の支柱台座と支柱間をつなぐ蝶番を挟んで前後に取り付け、支柱に力を加えないで自由にした状態では、支柱が中間に浮いているように、支柱の重量とバネの力がバランスをとれるバネの強さと、伸縮装置の取り付け位置を適当に選び、人力で簡単に防雪柵の支柱の建て込みが行えるようにする。
【考案の効果】
【００１１】  上記考案によれば、支柱の重さはバネの力でほとんどキャンセルされるので、ほんの少し下向きに押さえるか、上向きに持ち上げる等の力を加えれば支柱は簡単に倒したり、立ち上げたりすることができる。あとはその支柱を所定の位置で固定するだけで良い。
【考案を実施するための最良の形態】
【００１２】  防雪柵の支柱と支柱台座は蝶番で結合されており、蝶番を軸として支柱を倒したり、起こしたりできるようにしてあり、支柱と支柱台座のそれぞれのしかるべき位置に圧縮バネを内蔵した伸縮装置を取り付ける。【００１３】  支柱が直立したときは伸縮装置が一番伸びた状態に対応し、支柱が真横に倒されたときは伸縮装置が一番縮むようにし、バネの強さは支柱が直立と横に寝た時の中間の斜めの状態のときに支柱の重さとバネの圧縮抗力が釣り合うようにするのが良い。
【実施例】
【００１４】  本考案の防雪柵建て込み用伸縮装置を図面に基づいて説明すると、図１は伸縮装置の外観で伸縮筒は２重になっており、外径約１２ｃｍで長さ約５０ｃｍの外筒１に内接するように、外径約１０ｃｍで長さ約３３ｃｍの内筒２が嵌まり、それらの筒の中には図示はしてないが圧縮コイルバネが入っている。【００１５】  それぞれの筒の内接していない側の端にはシャフトが取り付けてある。外筒１にはシャフトＡ３が、内筒２の端にはシャフトＢ４があり、それぞれのシャフトは回転軸５，６を介して取り付け金具に接続してある。つまりシャフトＡ３は支柱取り付け金具７に、シャフトＢ４は支柱台座取り付け金具８に接続してある。【００１６】  本考案の装置を防雪柵に取り付けた様を表わす概念図が図２に示してある。支柱はバネの圧縮抗力と釣り合って斜めになった状態である。両回転軸５，６間の距離は支柱が直立している時は約１ｍあり、支柱が倒されて真横になった時は約７０ｃｍになる。
【産業上の利用可能性】
【００１７】  以上説明したように、簡単な構造ながら、圧縮バネの力を利用して支柱の重さを軽減できるので、防雪柵の建て込み収納は人力で容易に行うことができる。
【図面の簡単な説明】
【００１８】
【図１】伸縮装置の外観
【図２】伸縮装置を防雪柵に取り付けた状態を表す概念図
【符号の説明】
【００１９】１  外筒
２  内筒
３  シャフトＡ
４  シャフトＢ
５，６  回転軸
７  支柱取り付け金具
８  支柱台座取り付け金具
【図１】
0003151642.tif 000003
【図２】
0003151642.tif 000004
(57)【要約】【課題】  本考案は、字を記入するマスを九宮格に分割し、中心線を加え、整った字配りができるようにする。【解決手段】  本考案は１字分マス１を九宮格に分割し、分割線２を設けることで字を的確に付置することができる。また、中心線３を加えることで字の中心も整えられる。外枠・中心線を含めた中心線入り九宮格４は淡い色をしているので、書写する字の認識を妨げない。中心線入り九宮格４を必要な字数分下へ複製していき、中心線入り九宮格１行分５を作る。中心線入り九宮格１行分５を左に複製したものを中心線入り九宮格２行分６とし、書写できるマスを増やしていく。また、１つの中心線入り九宮格４を縦２つ横２つ計４つを１単位としたものを中心線入り九宮格４倍角７とし、４倍角の字も書写できるようにする。４倍角になれば指標も増えていく仕組みで、大きい字でも的確な字配りができる。中心線入り九宮格４倍角７と次の中心線入り九宮格４倍角７が繋がっている場合、その区切りの左右余白に目印となる目印８を付けて、４倍角の字を書写しやすくする。【選択図】図１
0003151643.tif 000002
【実用新案登録請求の範囲】
【請求項１】
字を記入するマスを九宮格に分割し、指標を外枠だけでなく、枠の内側にも作り、さらに字の中心を整える役割の中心線も入れたところを特徴とする九宮格書道用紙
【考案の詳細な説明】
【技術分野】
【０００１】  本考案は、九宮格を配置した書道用紙である。
【背景技術】
【０００２】  通常の練習用紙は１字につき、１マスを使うだけで、マスの中での的確な字配りは困難であった。
【考案の概要】
【考案が解決しようとする課題】
【０００３】  １字につき１マスだと指標となるものが外枠だけなので、マスの中での的確な字配りは難しい。枠の内側にも指標を作ることで、前述の欠点を解決しようとするものである。
【課題を解決するための手段】
【０００４】  本考案は、字を記入するマスを九宮格に分割し、指標を外枠だけでなく、枠の内側にも作る。加えて字の中心を整える役割として中心線も入れる。外枠、中心線を含めた分割線は書写する字の認識を妨げないように淡い色を使用する。字の認識を妨げない指標を増やすことにより、問題点を解決している。
【考案の効果】
【０００５】  上述のように、本考案の九宮格書道用紙は字を整然と書写できることは勿論、１字分マスを九宮格に分割し、分割線を設けることで字を的確に付置することができる。また、中心線を加えることで字の中心も整えられる。外枠・中心線を含めた分割線は淡い色をしているので、書写する字の認識を妨げない。また、１つの九宮格を縦横に並べていくことにより、４倍角にも対応できる。４倍角になれば指標も増えていく仕組みになっている。
【図面の簡単な説明】
【０００６】
【図１】本考案の九宮格書道用紙の一例と書写例
【考案を実施するための形態】
【０００７】  字を書写するための１字分のマスを作る。それを縦３つ横３つ計９つのスペースに分割し、分割線を加えて九宮格にする。さらに縦方向の中心線を入れる。外枠、中心線を含めた分割線は淡い色にする。以上で中心線入り九宮格１字分が完成。それを必要な字数分だけ下に複製していく。１行分でき上がったら、行間を作らずに、左に１行分複製する。中心線入り九宮格縦２つ横２つ計４つを１単位とし、次の１単位が繋がる場合、その区切りの左右余白に目印を付ける。以上のものを１つのブロックとし、左へ複製していく。
【実施例】
【０００８】  以下、添付図面に従って一実施例を説明する。１は字を書写するための１字分マス。２は１を縦３つ横３つ計９つのスペースに分割するための分割線。３は１の縦方向の中心線。１、２、３は全て淡い色にする。以上で中心線入り九宮格４が完成。中心線入り九宮格４を必要な字数分だけ、下に複製し、１行分でき上がったものを中心線入り九宮格１行分５とする。中心線入り九宮格１行分５を左に１つ複製し、中心線入り九宮格２行分６が完成。中心線入り九宮格４を縦２つ横２つ計４つ並べたものを１単位とし、中心線入り九宮格４倍角７とする。中心線入り九宮格４倍角７と次の中心線入り九宮格４倍角７が繋がっている場合は、その区切りの左右余白に目印となる目印８を付ける。【０００９】  書写例Ａ９は中心線入り九宮格４に書写した例。書写例Ｂ１０は中心線入り九宮格４倍角７に書写した例。
【符号の説明】
【００１０】  １  １字分マス
２  分割線
３  中心線
４  中心線入り九宮格
５  中心線入り九宮格１行分
６  中心線入り九宮格２行分
７  中心線入り九宮格４倍角
８  目印
９  書写例Ａ
１０  書写例Ｂ
【図１】
0003151643.tif 000003
(57)【要約】【課題】  本考案は刈払機の吊高さを容易に変えることが出来る刈払機用肩掛バンドに依り、傾斜地での刈払作業の能率を向上させる。【解決手段】  刈払機を吊下げるフック４を支持するベルト３をラチェット式ベルト荷締機１の巻取り軸５に取り付け、このラチェット式ベルト荷締機１の固定軸６に肩掛バンド２を通す。刈払機の吊高さの調整は、片手で巻取り作業レバー１０、又は開放レバー１１を操作することで可能であり、吊高さを低い位置に調整することで、傾斜地を広い範囲で刈払できる。また水平部分に立った楽な姿勢で、傾斜部分を刈払いできる。【選択図】図１
0003151641.tif 000002
【実用新案登録請求の範囲】
【請求項１】
刈払機を吊下げるフックを支持するベルトをラチェット式ベルト荷締機の巻取り軸に取り付け、このラチェット式ベルト荷締機の固定軸に肩掛バンドを通した刈払機用肩掛バンド。
【考案の詳細な説明】
【技術分野】
【０００１】  本考案は傾斜地での刈払作業の能率を向上するための刈払機用肩掛バンドに関するものである。
【背景技術】
【０００２】  従来、刈払機の肩掛バンドは、刈払機を吊下げた状態では、吊高さを片手で調整することが困難であった。
【考案の開示】
【考案が解決しようとする課題】
【０００３】  刈払作業の途中で刈払機の吊高さを変更することが困難なため、平坦地の刈払作業に続いて同じ吊高さで傾斜地の刈払作業をすることが多い。この場合、傾斜地を広い範囲で刈払するには、腰を低くするか斜面に立たないと不可能であり、足腰への負担が大きい。従って、刈払機の吊高さを容易に変えることが出来る刈払機用肩掛バンドの使用に依り前述の欠点を解決しようとするものである。
【課題を解決するための手段】
【０００４】  刈払機を吊下げるフックを支持するベルトをラチェット式ベルト荷締機の巻取り軸に取り付け、このラチェット式ベルト荷締機の固定軸に肩掛バンドを通す。刈払機の吊高さの調整は、片手で巻取り作業レバー、又は開放レバーを操作することで可能であり、問題点を解決している。
【考案の効果】
【０００５】  刈払作業の途中でも、片手で刈払機の吊高さを無段階に調整できる。
刈払機の吊高さを低い位置に調整することで、傾斜地を広い範囲で刈払できる、また水平部分に立った楽な姿勢で、傾斜部分を刈払できる。
【考案を実施するための最良の形態】
【０００６】  刈払機本体には、平坦地の刈払作業に使用するハンドル以外に、中央部と後部に別の傾斜地用の刈払作業用ハンドルを取り付ける。
刈払機用肩掛バンドの形は、片肩、両肩、腰バンド付きでもよい。
【実施例】
【０００７】  刈払機の吊高さを高くする時は巻取り作業レバーを上下させてベルトを巻き取り、低くする時はラチェットの開放レバーの操作により、巻き取ったベルトは刈払機の自重で巻き取りが戻り、吊高さは低くなる。いずれも片手の操作で可能である。
【図面の簡単な説明】
【０００８】
【図１】本考案のラチェット式ベルト荷締機付き刈払機用肩掛バンドの斜視図である。
【図２】図１の機構部分の詳細図である。
【図３】本考案を使用し刈払機を低い位置で吊り下げて、傾斜地を刈払作業中の斜視図である。水平部分に立った楽な姿勢で作業が可能であることを示している。
【図４】本考案を使用し刈払機の吊下げ高さを平坦地の作業時のまま、傾斜地を刈払作業中の斜視図である。腰を低くし、斜面に立たないと、図３と同じ広い範囲の刈払が出来ないことを示している。
【符号の説明】
【００９】  １      ラチェット式ベルト荷締機
２      肩掛バンド
３      フック吊り下げ用ベルト
４      刈払機吊下用フック
５      巻取り軸
６      固定軸
７      ラチェット歯車
８      開放ストッパー
９      巻取り解除ストッパー
１０      巻取り作業レバー
１１      開放レバー
１２      刈払機本体
１３      平坦地作業用ハンドル
１４      傾斜地作業用中央部ハンドル
１５      傾斜地作業用後部ハンドル
【図１】
0003151641.tif 000003
【図２】
0003151641.tif 000004
【図３】
0003151641.tif 000005
【図４】
0003151641.tif 000006
(57)【要約】      （修正有）【課題】ボトルの内部の洗浄だけでなく、直接口をつけるボトルの口元の内側、外側、更にはフタやキャップの内側、外側を洗浄できるボトル洗浄ブラシを提供する。【解決手段】握り部７とこの握り部７の一方の端部の把手２に取り付けたブラシ本体８とを具備し、前記ブラシ本体８は棒状で、円弧状に形成された第１の心線から、幅を持たせて、Ｕ字形状に形成された第２の心線から成り、前記ブラシ本体８は、２本の金属線材の間に毛材を挟み、金属線材を撚って各々の心線を形成すると共に、毛材を各々の心線の周りにラセン状に配して成るため、ボトルの口元やフタやキャップなど、洗浄が難しかった部分を第１の心線から幅を持たせてＵ字形状に形成された第２の心線とで挟み込んで、各々に配された毛材で洗浄する。【選択図】図２
0003151645.tif 000002
【実用新案登録請求の範囲】
【請求項１】
握り部（７）とこの握り部（７）の一方の端部の把手（２）に取り付けたブラシ本体（８）とを具備し、前記ブラシ本体（８）は棒状で、円弧状に形成された第１の心線（３）と、第１の心線（３）から、幅（４）を持たせて、Ｕ字形状に形成された第２の心線（５）から成り、前記ブラシ本体（８）は、２本の金属線材の間に毛材（６）を挟み、金属線材を撚って各々の心線（３）、（５）を形成すると共に、毛材（６）を各々の心線（３）、（５）の周りにラセン状に配して成ることを特徴とするボトル洗浄ブラシ（１）。
【請求項２】
ボトル洗浄ブラシ（１）において、握り部（７）とこの握り部（７）の残りの端部の把手（２’）に更にブラシ本体（８’）を具備していることを特徴とする請求項１記載のボトル洗浄ブラシ（１）。
【考案の詳細な説明】
【技術分野】
【０００１】  本考案は、例えば飲料用ペットボトルの飲み口、フタやキャップなどの洗浄に用いられるボトル洗浄ブラシに関する。
【背景技術】
【０００２】  従来、ボトルの洗浄には、棒状の把手の一方の先端にブラシを取り付けたものが知られている。【０００３】  一方で、棒状部を湾曲させてボトルを洗浄するブラシも提案されている。
【先行技術文献】
【特許文献】
【０００４】
【特許文献１】特許公開２０００年第２０１７４２号公報
【考案の概要】
【考案が解決しようとする課題】
【０００５】  しかしながら、従来のボトル洗浄ブラシも特許文献１のようなボトル洗浄ブラシも、あくまでもボトル内部の洗浄を主目的とするため、直接口をつけるボトルの口元やフタやキャップなどを洗浄するためには棒状に沿って毛材が設けられているために、充分な洗浄効果を得る事が出来ない欠点があった。【０００６】  更に通常のスポンジやたわしなどで口元を洗浄しようとしても、外形のねじ部の段差部や口元の内側、フタ更にはキャップの内側をきれいに洗浄することは出来ない欠点があった。
【問題を解決するための手段】
【０００７】  握り部（７）とこの握り部（７）の一方の端部の把手（２）に取り付けたブラシ本体（８）とを具備し、前記ブラシ本体（８）は棒状で、円弧状に形成された第１の心線（３）と、第１の心線（３）から、幅（４）を持たせて、Ｕ字形状に形成された第２の心線（５）から成り、前記ブラシ本体（８）は、２本の金属線材の間に毛材（６）を挟み、金属線材を撚って各々の心線（３）、（５）を形成すると共に、毛材（６）を各々の心線（３）、（５）の周りにラセン状に配して成ることを特徴とする。
【０００８】  更に、ボトル洗浄ブラシ（１）において、握り部（７）とこの握り部（７）の残りの端部の把手（２’）に更にブラシ本体（８’）を具備していることを特徴とする。
【考案の効果】
【０００９】  本考案は、ボトルの口元やフタやキャップなど、なかなか洗浄の難しかった部分を第１の心線から幅を持たせてＵ字型形状に形成された第２の心線とで挟み込んで毛材で洗浄することが出来るものとなる。
【００１０】  又、握り部の残りの端部にもう一つのブラシ本体を具備しているため、従来のボトル内部はこちらのブラシ本体で洗浄すれば、両端のブラシを使い分けてボトルの内部と口元やキャップなど全てをブラシ一本で洗浄出来る効果が得られるものとなる。
【図面の簡単な説明】
【００１１】
【図１】本考案の一実施例を示す斜視図である。
【図２】本考案の他の一実施例を示す斜視図である。
【図３】本考案の使用状態の説明図である。
【考案を実施するための形態】
【００１２】  本考案におけるボトル洗浄ブラシの大きさ、デザイン、材質、製造方法等は特に限定される事はないが、耐水性、耐消耗性、生産性などの面からブラシ本体は金属線材で、樹脂性の毛材、握り部から形成されているものが好ましい。
以下、実施例と図に基づき説明する。
【実施例】
【００１３】  以下、本考案の一実施例を図１、図２及び図３で説明するがこれによって本考案はなんら限定されるものではない。【００１４】  図１は本考案の一実施例を示し、握り部（７）とこの握り部（７）の一方の端部の把手（２）に取り付けたブラシ本体（８）とを具備し、前記ブラシ本体（８）は棒状で、円弧状に形成された第１の心線（３）と、第１の心線（３）から、幅（４）を持たせて、Ｕ字形状に形成された第２の心線（５）から成り、前記ブラシ本体（８）は、２本の金属線材の間に毛材（６）を挟み、金属線材を撚って各々の心線（３）、（５）を形成すると共に、毛材（６）を各々の心線（３）、（５）の周りにラセン状に配して形成されている。【００１５】  図２は本考案の他の一実施例を示し、図１のものにおいて握り部（７）の残りの端部の把手（２’）に更にブラシ本体（８’）を具備しているものである。【００１６】  図３は本考案のボトル洗浄ブラシ（１）を使用している状態を示しているものであり、ボトルの口元の中にＵ字形状に形成された第２の心線（５）が挿入され、一方で口元の外周部には円弧形状に形成された第１の心線（３）の各々に配された毛材（６）において汚れをこすり取り洗浄している様子を示している。
【産業上の利用の可能性】
【００１７】  ボトルの口元の内側、外側の段差、更にはフタやキャップなどの内側、外側など、従来のボトル洗浄ブラシではなかなか洗浄出来なかった部分を第１の心線から幅を持せてＵ字形状に形成された第２の心線とで挟み込んで各々に配された毛材で簡単に洗浄することが出来るものとなる。
【００１８】  更に握り部の残りの端部に従来のブラシ本体をもう一つ具備しているため、ボトルの内部はこちらのブラシ本体で洗浄すれば、両端でボトル内部と口元、フタやキャップなどの全てをブラシ一本で洗浄出来るものとなる。
【符号の説明】
【００１９】１  ボトル洗浄ブラシ    ２、２’  把手    ３  第１の心線    ４  幅
５  第２の心線    ６  毛材    ７  握り部    ８、８’  ブラシ本体
９  ボトル    １０  口元
【図１】
0003151645.tif 000003
【図２】
0003151645.tif 000004
【図３】
0003151645.tif 000005
(57)【要約】      （修正有）【課題】狭い流し台において、まな板の使用場所確保もでき、切る食料品ごとにまな板を洗い流すこともできる、シンク内で使用できるまな板を提供する。【解決手段】流し台５のシンク４内で食料品が切れるよう、水溜容器３の蓋２上部にまな板部１を設け、シンク内で使用して、まな板部１は上部水道水で直ぐ簡単に洗い流せ、水溜容器３は、洗い物や野菜等、何でも入れられるスペースとなる。また、切った食料品の破片もシンク４内にとどまる。【選択図】図３
0003151644.tif 000002
【実用新案登録請求の範囲】
【請求項１】
水溜容器３の蓋２上部にまな板部１を設け、シンク４内で使用できるまな板。
【考案の詳細な説明】
【技術分野】
【０００１】  本考案は台所で使用する、まな板に関するものである。
【背景技術】
【０００２】  従来から調理するため、食料品を切ることに供する、まな板というものがあった。
【考案の概要】
【考案が解決しようとする課題】
【０００３】  マンションやアパートの流し台は狭く、まな板を置いて、調理する場所を確保するのに苦労する。また、食料品を切るたびに、野菜など、小さい食料品の破片が飛散し、掃除に苦労した。また、一品ごとに、まな板を手で持ち、洗わなければならなかった。
【課題を解決するための手段】
【０００４】  本考案は、水溜容器３の蓋２上部にまな板部１を設け、シンク４内でも使用できるまな板としたことで、問題を解決している。
【考案の効果】
【０００５】  狭い流し台において、シンク内のスペースを無駄にすることなく、食料品を切ることができ、上の水道で、直ぐ洗い流して、次の食料品を切ることができ、切った破片も、シンク内にとどまる。水溜容器には、洗い物等何でも入るので便利であり、水の重量で水溜容器は安定しているので、食料品を切る時の安全上の問題はない。
【図面の簡単な説明】
【０００６】
【図１】  本考案の斜視図
【図２】  蓋の断面図
【図３】  本考案の使用状態を示す斜視図
【考案を実施するための形態】
【０００７】  本考案は図２に示すように、水溜容器３に蓋２をかぶせ、シンク４内でまな板として使用する。
【実施例】
【０００８】  本考案をシンク４内に置き、食料品を切った後は、上部の水道水で洗い流す。また、使用しない時は、水を捨てて、食器等の入れ物に使用できる。
【符号の説明】
【０００９】  １  まな板部
２  蓋
３  水溜容器
４  シンク
５  流し台
【図１】
0003151644.tif 000003
【図２】
0003151644.tif 000004
【図３】
0003151644.tif 000005
(57)【要約】      （修正有）【課題】ボンベを巻回して固定するチェーン端を簡単に、かつ堅固に固定でき、盗難防止対策になる簡単な構造のボンベ転倒防止用チェーン係止具を提供する。【解決手段】方形片からなる係止具の中央部を横断するように断面半円状の隆起部を形成してチェーン端部の遊嵌部とし、両側の平坦部３にはネジ挿通孔４を設け、ガスボンベ設置場所の壁面に固定できるようにしてある。チェーン５の他端は、ガスボンベを巻回した後に、壁面に固定してある公知のリング等の係止部に掛止めする。【選択図】図２
0003151677.tif 000002
【実用新案登録請求の範囲】
【請求項１】
方形片からなる係止具の中央部を横断して断面半円状の隆起部が形成されてチェーン端部の遊嵌部となっており、両側の平坦部３に設けたネジ挿通孔にネジを挿入して、ガスボンベを設置場所の壁面に固定し、そしてチェーンの他端を、ガスボンベを巻回した後に、壁面に固定してある公知の係止部に掛止めするようになっているガスボンベ転倒防止用チェーンの係止具。
【請求項２】
方形片の中央部の両側端が切欠されて短くえぐれており、その短い中央部に隆起部が形成されていて、その隆起部にチェーンのリンクの小円部が遊嵌できるようになっている請求項１に記載のガスボンベ転倒防止用チェーンの係止具。
【考案の詳細な説明】
【技術分野】
【０００１】
本考案は、建物などに立て掛けてあるガスボンベ等の転倒を防止するために、ボンベを固定するために巻回するチェーンの端部用係止具に関する。
【背景技術】
【０００２】
プロパンガスボンベ等は建物の屋外に壁や塀に添って立て掛けられている。ガスボンベは高圧ガスを充填しているため鉄製等の非常に重量を有する容器となっている。そのため転倒を防止するために、チェーンや強靭なベルトで周囲を巻回させて固定している。そこでチェーンの盗難防止のために、チェーンやベルトを、近接する建物などの壁面に取付けた係止具に係合させ溶接している。この係止具としては、Ｌ字型や半リング状の鋼片をネジ止めしたものが使用され、Ｌ字型鋼に設けた孔や半リング鋼にチェーン端を掛止めし、現場で溶接している。
【先行技術文献】
【特許文献】
【０００３】
【特許文献１】実公昭４８−１９６１０号公報
【考案の概要】
【考案が解決しようとする課題】
【０００４】
しかしながら、現場でチェーンのリンクを開口して係止具の孔に挿通した後に、再び開口部を合一させ、そして溶接作業を行なうことは手間が掛かりコストが高くなってしまう。
【課題を解決するための手段】
【０００５】
本考案は、ボンベを巻回して固定するチェーン端を簡単に、かつ堅固に固定でき、盗難防止対策になる簡単な構造のボンベ転倒防止用チェーン係止具を提供するものである。
【０００６】
そのため本考案のガスボンベ転倒防止用チェーンの係止具は、方形片の中央部を横断するように断面半円状の隆起部を形成してチェーン端部の遊嵌部とし、両側の平坦片にネジ挿通孔を設け、ガスボンベ設置場所の壁面にネジ等で固定できるようにした。
チェーン端部のリンク内に係止具が挿入されるようにして入れ、中央部の隆起部にリンクの半周側が収まるようにした後に、両側のネジ挿通孔にネジを入れて壁面に固定する。チェーンの他端にはフック等を固定しておき、ガスボンベを巻回した後に、壁面に固定してある公知のリング等の係止部に掛止めして行なう。
【考案の効果】
【０００７】
本考案の係止具は、簡単な構造で、また、現場でのチェーンのリンクの開口、接合および溶接作業を不要とするので非常に廉価である。
【図面の簡単な説明】
【０００８】
【図１】チェーンのリンクを挿入する状態を示す斜視図
【図２】チェーンの端部リンクを係止具に掛止めした実施例１の斜視図
【図３】チェーンの端部リンクの小円部を係止具に掛止めした実施例２の斜視図
【図４】ガスボンベを固定した使用状態図
【考案を実施するための形態】
【０００９】
チェーンの端部リンク内に方形の係止具の一側から挿入して、中央部の隆起部にリンクの半周側が遊嵌されるようにすることで、チェーン端を簡単に、かつ堅固に固定でき、盗難防止対策になる簡単な構造のボンベ転倒防止用チェーン係止具を実現した。
【実施例１】
【００１０】
以下、図１、２に示す実施例１に基づき本考案を説明する。
本考案のガスボンベ転倒防止用チェーンの係止具１は方形片からなり、その中央部を横断するように断面半円状の隆起部２が形成されており、その両側の平坦部３には、ネジ挿通孔４を開けてある。
使用するときは、図１の左側に示すように、チェーン５の端部のリンク６内に、係止具１の側端３ａを挿入し、図２に示すように中央の隆起部２内に収まるようにしてあり、その後に両側の平坦部３のネジ挿通孔４にネジ７を入れてガスボンベ設置場所に近接する壁面等に固定する。
【００１１】
チェーンの端部リンク６は、隆起部２に遊嵌されていて自由に動くことが可能である。そして図４に示すように、チェーンの他端をガスボンベ８を巻回させた後に、そのチェーンの他端のリンク９あるいはあらかじめ固定してある公知のフック等にて、ガスボンベ設置場所の壁面に固定してある公知の係止金具１０に掛止めしてボンベを固定する。
【実施例２】
【００１２】
図３は、別の実施例２を示す。
実施例２は、方形片の中央部の両側端が切欠されて短くえぐれており、その短い中央部に隆起部２１が形成されていて、チェーン５１のリンクの小円部６１が遊嵌できる幅としてある。この場合も、チェーンのリンクを係合具１１に挿入する際は、実施例１と同様にチェーン５１のリンクを長手方向に寝かした状態にして、係合具の側端を挿入するようにし、隆起部２１にてリンクを旋回させてリンクの小円部６１が立つようにして隆起部に係合させる。
【００１３】
このようにチェーンリンクの小円部６１を隆起部２１に遊嵌するようにすることで、チェーンが自然な状態で連続できるようになる。
【符号の説明】
【００１４】
１    係止具
２    隆起部
３    平坦部
４    ネジ挿通孔
５    チェーン
６    リンク
７    ネジ
８    ボンベ
９    係止金具
【図１】
0003151677.tif 000003
【図２】
0003151677.tif 000004
【図３】
0003151677.tif 000005
【図４】
0003151677.tif 000006
(57)【要約】      （修正有） 【課題】病院、学校等にて、電子ディスプレイ等をテ−ブルや架台等に設置した場合に発生する、周辺の思わぬ動きによる機器への接触等や地震等の揺れから起こる、転倒事故等を防ぐ装置を提供する。【解決手段】金属帯で電子ディスプレイ等の脚部等を、テ−ブルや架台等に押さえるように、固定する事により、前後方向の転倒を、より安全に防ぐ効果を得ることが出来る。【選択図】図４
0003151686.tif 000002
【実用新案登録請求の範囲】
【請求項１】
テ−ブルや架台等の置台の前縁に挟み込む様にして固定したＵ字型の前金具と、前記前金具に一端を固定され、他端部をＵ字型の金具に取り付けた長孔を有する金属帯と、前記置台の後縁に挟み込む様にして固定したＵ字型の後金具と、前記金属帯の長孔を介して前記後金具を前記置台に固定するナットとボルトとを有し、電子ディスプレイ等の脚部を前記金属帯で前記置台に固定することを特徴とする転倒防止金具。
【考案の詳細な説明】
【技術分野】
【０００１】
本考案は、テ−ブルや架台等の上に設置される電子ディスプレイ等の転倒を防止する金物に関するものである。
【背景技術】
【０００２】
従来の電子ディスプレイ等の転倒防止金具は、簡単な地震対策と、手や体等による接触転倒事故等の安全対策として、前方向への転倒を防ぐ機能が主である。
【先行技術文献】
【非特許文献】
【０００３】
【非特許文献１】「朝日木材加工  インテリアラック、カタログー２００９」                      朝日木材加工  株式会社、２００９、Ｐ２，
【考案の概要】
【考案が解決しようとする課題】
【０００４】
病院・学校等において、電子ディスプレイ等を、テ−ブルや架台に設置した場合に、周辺の思わぬ動きによる機器への接触等による転倒事故が起こりうる、従来の前面方向の転倒対策では、充分な安全性をえることは出来ない。
【課題を解決するための手段】
【０００５】
本考案は、薄い金属帯でもって、電子ディスプレイ等の脚部やフレ−ム等を押さえる様に、固定する転倒防止金物である。
【０００６】
金物の金属帯の前後両端部分には、テ−ブルや架台を挟み固定する、Ｕ字形クランプが設けられており、電子ディスプレイの前側に設置するクランプ上面は、金属帯の端部が自由に回動できるようにリベット加工で固定されている。
【０００７】
後部側に位置する金属帯の端部は帯状の中心に沿う長孔が設けられ、クランプ上面に設けられたボルトに長孔をはめ込みナットにて金属帯を固定出来るように加工されている。
【０００８】
テ−ブル・架台等に位置決めされた、電子ディスプレイの脚部の適切な位置に金属帯を前後に渡し、前部のクランプをテ−ブル・架台等に固定、次に後部側のクランプを固定、金属帯を後部に引き、ナットを締めて機器の設置、固定が出来る。
【０００９】
又、前端部分の金属帯は自由に回動し、金属帯を斜めに渡す事も出来る事から、あらゆる形状の電子ディスプレイの脚部を取り付ける事が可能である。
【考案の効果】
【００１０】
上述の様に電子ディスプレイ等を、テ−ブル・架台等に容易に取り付けが可能であり、前後方向の転倒防止に関しより安全にその効果を得る事が出来る。
【図面の簡単な説明】
【００１１】
【図１】本考案の実施例の上面図
【図２】本考案の実施例の側面図
【図３】本考案の実施例の斜視図
【図４】本考案の実施例の全体図
【図５】本考案の実施例の上面図
【図６】本考案の実施例の上面図
【考案を実施するための形態】
【００１２】
定位置に置かれた、電子ディスプレイ等の脚部に於いて、固定するのに適切な位置に当金具の金属帯を渡し、前部クランプをテ−ブル・架台等（置台）の前縁に固定し位置決めを行う、その後に後部クランプを同様にテ−ブル・架台等の後縁に固定し、次に金属帯を引き締めると同時に金属帯固定ナットを締め、金属帯を固定する。
【実施例】
【００１３】
以下、添付図面  図３に従って一実施例を説明する。
【００１４】
１は金属帯で、これの両端部に前部クランプ２・後部クランプ５が取り付けられてあり、前部クランプ２には、金属帯１がリベット４にて回動自在に動くように固定加工がなされている。
【００１５】
後部クランプ５には、金属帯の長孔1aを介して金属帯１を着脱、固定、を行うために固定ボルト６、固定ナット７、が装着されている。
【００１６】
電子ディスプレイの脚部８aを図示のように、金属帯１を渡し、前部クランプ２をテ−ブル・架台等９の前縁に固定し、次に後部クランプ５をテ−ブル・架台等９の後縁に固定する。
【００１７】
最終工程に、金属帯１を後部クランプ５に引き付けながら固定ナット７を締める。
【００１８】
図４は（００１４〜００１７）の手順で固定した状態の全体図である。
【００１９】
図５は電子ディスプレイの脚部８ａ を固定したもの、図６は電子ディスプレイの脚部８ｂ を固定したものを、それぞれ上から見た図である。
【００２０】
金属帯１が回動自在な事から、図５・図６の様に電子ディスプレイの脚部８ａのような形状でも、電子ディスプレイの脚部８ｂのような形状でも、固定が可能である。
【符号の説明】
【００２１】
１      金属帯
１ａ    金属帯の長孔
２      前部クランプ
３      クランプボルト
４      リベット
５      後部クランプ
６      固定ボルト
７      固定ナット
８      電子ディスプレイ
８ａ    電子ディスプレイの脚部
８ｂ    電子ディスプレイの脚部
９      テ−ブル・架台等(置台）
【図１】
0003151686.tif 000003
【図２】
0003151686.tif 000004
【図３】
0003151686.tif 000005
【図４】
0003151686.tif 000006
【図５】
0003151686.tif 000007
【図６】
0003151686.tif 000008